(57)【要約】      （修正有）【課題】従来の航空機用ジェットエンジンは石油系化石燃料を使用し、大気汚染物質や二酸化炭素を排出していた。また、石油の枯渇問題も存在していた。また、航空機用エンジンに適した水素燃料のエンジンは存在しなかった。【解決手段】液体水素燃料のロケットエンジン１４での燃焼による噴流で作動するタービン１５を設け、前記タービン１５につながるタービン軸１６を前記液体水素燃料のロケットエンジン１４の燃焼室１７に穴あけ加工を施して穴３３を設け、前記穴３３に貫通させ、前記燃焼室１７外の前方に前記タービン１５及び前記タービン軸１６の回転により発電する発電機１８を設け、前記発電機１８で発電した電気で水の電気分解装置１９内の水を電気分解し、前記水の電気分解装置１９で得られた水素及び酸素を液化装置及び貯蔵タンク２０で液化し貯蔵させながら、前記液体水素燃料のロケットエンジン１４の燃料及び液体水素の酸化剤として供給する。【選択図】図４
2011153616.tif 000002
【特許請求の範囲】
【請求項１】
液体水素燃料のロケットエンジン（１）での燃焼による噴流で作動するタービン（２）及び前記タービン（２）につながるタービン軸（３）を設け、前記液体水素燃料のロケットエンジン（１）の燃焼室（４）に穴（３３）を設けて前記穴（３３）に前記タービン軸（３）を貫通させることを特徴とした液体水素燃料のロケットエンジン。
【請求項２】
液体水素燃料のロケットエンジン（１）での燃焼による噴流で作動するタービン（２）を設け、前記タービン（２）につながるタービン軸（３）を前記液体水素燃料のロケットエンジン（１）の燃焼室（４）に穴（３３）を設けて前記穴（３３）に貫通させ、前記燃焼室（４）外に前記タービン（２）及び前記タービン軸（３）が回転することによって発電する発電機（５）を設けることを特徴としたロケット発電エンジン。
【請求項３】
液体水素燃料のロケットエンジン（６）での燃焼による噴流で作動する発電機用タービン（７）を設け、さらにファン用タービン（８）を設け、前記発電機用タービン（７）につながる発電機用タービン軸（９）及び前記ファン用タービン（８）につながるファン用タービン軸（１０）を前記液体水素燃料のロケットエンジン（６）の燃焼室（１１）に穴（３３）を設けて前記穴（３３）に貫通させ、前記燃焼室（１１）外に前記発電機用タービン（７）及び前記発電機用タービン軸（９）が回転することによって発電する発電機（１２）を設け、さらに前記ファン用タービン（８）及び前記ファン用タービン軸（１０）の回転により作動するファン（１３）を設けることを特徴としたロケット発電ファンエンジン。
【請求項４】
請求項２のロケット発電エンジンにおいて、液体水素燃料のロケットエンジン（１４）での燃焼による噴流で作動するタービン（１５）を設け、前記タービン（１５）につながるタービン軸（１６）を前記液体水素燃料のロケットエンジン（１４）の燃焼室（１７）に穴（３３）を設けて前記穴（３３）に貫通させ、前記燃焼室（１７）外に前記タービン（１５）及び前記タービン軸（１６）が回転することによって発電する発電機（１８）を設け、前記発電機（１８）で発電した電気で水の電気分解装置（１９）内の水を電気分解して得られた水素及び酸素を液化装置及び貯蔵タンク（２０）で液化し貯蔵しながら、前記液体水素燃料のロケットエンジン（１４）の燃料及び酸化剤として使用することを特徴としたロケット発電エンジン。
【請求項５】
請求項３のロケット発電ファンエンジンにおいて、液体水素燃料のロケットエンジン（２１）での燃焼による噴流で作動する発電機用タービン（２２）を設け、さらにファン用タービン（２３）を設け、前記発電機用タービン（２２）につながる発電機用タービン軸（２４）及び前記ファン用タービン（２３）につながるファン用タービン軸（２５）を前記液体水素燃料のロケットエンジン（２１）の燃焼室（２６）に穴（３３）を設けて前記穴（３３）に貫通させ、前記燃焼室（２６）外に前記発電機用タービン（２２）及び前記発電機用タービン軸（２４）が回転することによって発電する発電機（２７）を設け、さらに前記ファン用タービン（２３）及び前記ファン用タービン軸（２５）の回転により作動するファン（２８）を設けるとともに、前記発電機（２７）で発電した電気で水の電気分解装置（２９）内の水を電気分解して得られた水素及び酸素を液化装置及び貯蔵タンク（３０）で液化し貯蔵しながら、前記液体水素燃料のロケットエンジン（２１）の燃料及び酸化剤として使用することを特徴としたロケット発電ファンエンジン。
【請求項６】
請求項２のロケット発電エンジンにおいて、液体水素燃料のロケットエンジン（１）での燃焼による噴流で作動するタービン（２）を設け作動させ、前記タービン（２）につながるタービン軸（３）を前記液体水素燃料のロケットエンジン（１）の燃焼室（４）に穴（３３）を設けて前記穴（３３）に貫通させ、前記燃焼室（４）外に前記タービン（２）及び前記タービン軸（３）が回転することによって発電する発電機（５）を設け発電させることを特徴としたロケット発電エンジンの運転方法。
【請求項７】
請求項３のロケット発電ファンエンジンにおいて、液体水素燃料のロケットエンジン（６）での燃焼による噴流で作動する発電機用タービン（７）を設け作動させ、さらにファン用タービン（８）を設け作動させ、前記発電機用タービン（７）につながる発電機用タービン軸（９）及び前記ファン用タービン（８）につながるファン用タービン軸（１０）を前記液体水素燃料のロケットエンジン（６）の燃焼室（１１）に穴（３３）を設けて前記穴（３３）に貫通させ、前記燃焼室（１１）外に前記発電機用タービン（７）及び前記発電機用タービン軸（９）が回転することによって発電する発電機（１２）を設け発電させ、さらに前記ファン用タービン（８）及び前記ファン用タービン軸（１０）の回転により作動するファン（１３）を設け作動させることを特徴としたロケット発電ファンエンジンの運転方法。
【請求項８】
請求項２のロケット発電エンジンにおいて、液体水素燃料のロケットエンジン（１４）での燃焼による噴流で作動するタービン（１５）を設け作動させ、前記タービン（１５）につながるタービン軸（１６）を前記液体水素燃料のロケットエンジン（１４）の燃焼室（１７）に穴（３３）を設けて前記穴（３３）に貫通させ、前記燃焼室（１７）外に前記タービン（１５）及び前記タービン軸（１６）が回転することによって発電する発電機（１８）を設け発電させ、前記発電機（１８）発電した電気で水の電気分解装置（１９）内の水を電気分解して得られた水素及び酸素を液化装置及び貯蔵タンク（２０）で液化し貯蔵しながら、前記液体水素燃料のロケットエンジン（１４）の燃料及び酸化剤として使用させることを特徴としたロケット発電エンジンの運転方法。
【請求項９】
請求項３のロケット発電ファンエンジンにおいて、液体水素燃料のロケットエンジン（２１）での燃焼による噴流で作動する発電機用タービン（２２）を設け作動させ、さらにファン用タービン（２３）を設け作動させ、前記発電機用タービン（２２）につながる発電機用タービン軸（２４）及び前記ファン用タービン（２３）につながるファン用タービン軸（２５）を前記液体水素燃料のロケットエンジン（２１）の燃焼室（２６）に穴（３３）を設けて前記穴（３３）に貫通させ、前記燃焼室（２６）外に前記発電機用タービン（２２）及び前記発電機用タービン軸（２４）が回転することによって発電する発電機（２７）を設け発電させ、さらに前記ファン用タービン（２３）及び前記ファン用タービン軸（２５）の回転により作動するファン（２８）を設け作動させるとともに、前記発電機（２７）で発電した電気で水の電気分解装置（２９）内の水を電気分解して得られた水素及び酸素を液化装置及び貯蔵タンク（３０）で液化し貯蔵しながら、前記液体水素燃料のロケットエンジン（２１）の燃料及び酸化剤として使用させることを特徴としたロケット発電ファンエンジンの運転方法。
【発明の詳細な説明】
【技術分野】
【０００１】  本発明は、環境問題及び資源問題の解決を図った航空機用エンジンに関するものである。
【背景技術】
【０００２】  従来の航空機用ジェットエンジンには化石燃料を使用したものしかなく、タービンの回転により空気を取入れ、空気圧縮機で圧縮した空気を燃焼室に導き、石油系の化石燃料を注入してその燃焼時の噴流でタービンを回転させながら航空機を推進させており、地球温暖化物質である二酸化炭素を排出し、また石油等の化石燃料の枯渇という問題があった。【０００３】  また、液体水素燃料のロケットエンジンは、主に宇宙へのロケット打上げ及び宇宙空間での推進装置として利用されていた。【０００４】  また、液体水素燃料のロケットエンジンを宇宙へのロケット打上げ及び宇宙空間での推進装置以外の場面で利用するものとして、特許文献１の動力源装置及び特許文献２の発電装置がある。【０００５】  ただ、特許文献１の動力源装置及び特許文献２の発電装置は、タービンの回転によって作動する発電機がタービンの後方に配置されており、その構造上、燃焼による噴流の反作用で推進させる航空機用のエンジンとしては全く不向きであった。【０００６】  また、特許文献１の動力源装置及び特許文献２の発電装置は、液体水素燃料のロケットエンジンの燃焼時の排熱で蒸気を発生させ、その蒸気でタービンを作動させ発電する構造であるため、小型、軽量かつ省スペースを強く要求される航空機用エンジンにはやはり全く不向きであった。【０００７】  また、従来の技術では液体水素燃料のロケットエンジン（１４）のノズル（３１）部分にタービン（１５）を配置し、前記タービン（１５）につながるタービン軸（１６）を前記燃焼室（１７）に設けた穴（３３）に貫通させて前記燃焼室（１７）外の前方に延長し、前記タービン（１５）及び前記タービン軸（１６）が回転することで作動する発電機（１８）を前記燃焼室（１７）外の前方に配置した構造のものは無かった。
【先行技術文献】
【特許文献】
【０００８】
【特許文献１】特開２００６−２３３９５１号  公報
【特許文献２】特開２００８−０６３９５５号  公報
【非特許文献】
【０００９】
【非特許文献１】佐藤正知・蛭沢重信著「図解雑学  エネルギー」株式会社ナツメ社  ２００１年７月２０日発行Ｐ９２〜９３、Ｐ９４〜９５
【発明の概要】
【発明が解決しようとする課題】
【００１０】  以上に述べた従来のジェットエンジンでは、石油系化石燃料を使用しており、大気汚染物質や地球温暖化の原因である二酸化炭素を排出し地球環境に悪影響を及ぼすという課題があり、また石油系化石燃料自体の枯渇という課題も存在した。【００１１】  また、特許文献１の動力源装置及び特許文献２の発電装置では、液体水素燃料のロケットエンジンを使用しているので地球環境には優しく船舶のエンジンや発電装置には向いているが、タービンの回転によって作動する発電機がタービンの後方に配置されているので、燃焼時の噴流の反作用で推進させる航空機用のエンジンとしては構造上、全く不向きである課題があった。【００１２】  また、特許文献１の動力源装置及び特許文献２の発電装置は、液体水素燃料のロケットエンジンの燃焼時の排熱で蒸気を発生させ、その蒸気でタービンを作動させ発電する構造であるため、小型、軽量かつ省スペースを強く要求される航空機用エンジンとしては、やはり全く不向きである課題があった。【００１３】  また、非特許文献１のジェットエンジンでは、燃焼による噴流でタービンを作動させ、タービン軸の回転により空気圧縮機やファンを作動させており、発電機は無く、主に水の電気分解に使用する発電機の作動は不可能である課題があった。【００１４】  これに対し本発明は液体水素燃料のロケットエンジン（１４）を使用しておりもとより液体水素及び液体酸素は、液体水素燃料のロケットエンジン（１４）に装備されている燃料ポンプ（３５）及び酸化剤ポンプ（３６）により圧縮供給されるので空気圧縮機は不要であり非特許文献１の従来のジェットエンジンにある空気圧縮機の替わりに燃焼時の噴流で作動するタービン（１５）及びタービン軸（１６）の回転で発電する発電機（１８）を燃焼室（１７）外前方に配置したものである。【００１５】  これにより、発電機（１８）で発電した電気を主に水の電気分解に使用させることを可能にするとともに、燃焼時の噴流でタービン（１５）を作動させながら噴流の反作用で航空機を推進させることが可能となるものである。【００１６】  このようなことから、従来の石油系化石燃料依存の航空機用ジェットエンジンの代替となる環境に優しく資源の枯渇という課題の無い新しい航空機用エンジンが待望されていた。【００１７】  本発明は、非特許文献１のような従来のジェットエンジン及び特許文献１の動力源装置及び特許文献２の発電装置が有していた構造上の課題を解決しようとするものであり、地球環境に優しく資源の枯渇問題を解消し、石油系化石燃料依存の従来の航空機用ジェットエンジンの代替となる新型の航空機用エンジンを提供することを目的とするものである。
【課題を解決するための手段】
【００１８】  そして、本発明で上記課題を解決し、上記目的を達成するための第１の解決手段は、液体水素燃料のロケットエンジン（１）での燃焼による噴流で作動するタービン（２）及び前記タービン（２）につながるタービン軸（３）を設け、前記液体水素燃料のロケットエンジン（１）の燃焼室（４）に穴（３３）を設けて前記穴（３３）に前記タービン軸（３）を貫通させることを特徴とした液体水素燃料のロケットエンジンによって課題を解決するものである。【００１９】  また、第２の解決手段は、液体水素燃料のロケットエンジン（１）での燃焼による噴流で作動するタービン（２）を設け、前記タービン（２）につながるタービン軸（３）を前記液体水素燃料のロケットエンジン（１）の燃焼室（４）に穴（３３）を設けて前記穴（３３）に貫通させ、前記燃焼室（４）外に前記タービン（２）及び前記タービン軸（３）が回転することによって発電する発電機（５）を設けることを特徴としたロケット発電エンジンによって課題を解決するものである。【００２０】  また、第３の解決手段は、液体水素燃料のロケットエンジン（６）での燃焼による噴流で作動する発電機用タービン（７）を設け、さらにファン用タービン（８）を設け、前記発電機用タービン（７）につながる発電機用タービン軸（９）及び前記ファン用タービン（８）につながるファン用タービン軸（１０）を前記液体水素燃料のロケットエンジン（６）の燃焼室（１１）に穴（３３）を設けて前記穴（３３）に貫通させ、前記燃焼室（１１）外に前記発電機用タービン（７）及び前記発電機用タービン軸（９）が回転することによって発電する発電機（１２）を設け、さらに前記ファン用タービン（８）及び前記ファン用タービン軸（１０）の回転により作動するファン（１３）を設けることを特徴としたロケット発電ファンエンジンによって課題を解決するものである。【００２１】  また、第４の解決手段は、請求項２のロケット発電エンジンにおいて、液体水素燃料のロケットエンジン（１４）での燃焼による噴流で作動するタービン（１５）を設け、前記タービン（１５）につながるタービン軸（１６）を前記液体水素燃料のロケットエンジン（１４）の燃焼室（１７）に穴（３３）を設けて前記穴（３３）に貫通させ、前記燃焼室（１７）外に前記タービン（１５）及び前記タービン軸（１６）が回転することによって発電する発電機（１８）を設け、前記発電機（１８）で発電した電気で水の電気分解装置（１９）内の水を電気分解して得られた水素及び酸素を液化装置及び貯蔵タンク（２０）で液化し貯蔵しながら、前記液体水素燃料のロケットエンジン（１４）の燃料及び酸化剤として使用することを特徴としたロケット発電エンジンによって課題を解決するものである。【００２２】  また、第５の解決手段は、請求項３のロケット発電ファンエンジンにおいて、液体水素燃料のロケットエンジン（２１）での燃焼による噴流で作動する発電機用タービン（２２）を設け、さらにファン用タービン（２３）を設け、前記発電機用タービン（２２）につながる発電機用タービン軸（２４）及び前記ファン用タービン（２３）につながるファン用タービン軸（２５）を前記液体水素燃料のロケットエンジン（２１）の燃焼室��２６）に穴（３３）を設けて前記穴（３３）に貫通させ、前記燃焼室（２６）外に前記発電機用タービン（２２）及び前記発電機用タービン軸（２４）が回転することによって発電する発電機（２７）を設け、さらに前記ファン用タービン（２３）及び前記ファン用タービン軸（２５）の回転により作動するファン（２８）を設けるとともに、前記発電機（２７）で発電した電気で水の電気分解装置（２９）内の水を電気分解して得られた水素及び酸素を液化装置及び貯蔵タンク（３０）で液化し貯蔵しながら、前記液体水素燃料のロケットエンジン（２１）の燃料及び酸化剤として使用することを特徴としたロケット発電ファンエンジンによって課題を解決するものである。【００２３】  また、第６の解決手段は、請求項２のロケット発電エンジンにおいて、液体水素燃料のロケットエンジン（１）での燃焼による噴流で作動するタービン（２）を設け作動させ、前記タービン（２）につながるタービン軸（３）を前記液体水素燃料のロケットエンジン（１）の燃焼室（４）に穴（３３）を設けて前記穴（３３）に貫通させ、前記燃焼室（４）外に前記タービン（２）及び前記タービン軸（３）が回転することによって発電する発電機（５）を設け発電させることを特徴としたロケット発電エンジンの運転方法によって課題を解決するものである。【００２４】  また、第７の解決手段は、請求項３のロケット発電ファンエンジンにおいて、液体水素燃料のロケットエンジン（６）での燃焼による噴流で作動する発電機用タービン（７）を設け作動させ、さらにファン用タービン（８）を設け作動させ、前記発電機用タービン（７）につながる発電機用タービン軸（９）及び前記ファン用タービン（８）につながるファン用タービン軸（１０）を前記液体水素燃料のロケットエンジン（６）の燃焼室（１１）に穴（３３）を設けて前記穴（３３）に貫通させ、前記燃焼室（１１）外に前記発電機用タービン（７）及び前記発電機用タービン軸（９）が回転することによって発電する発電機（１２）を設け発電させ、さらに前記ファン用タービン（８）及び前記ファン用タービン軸（１０）の回転により作動するファン（１３）を設け作動させることを特徴としたロケット発電ファンエンジンの運転方法によって課題を解決するものである。【００２５】  また、第８の解決手段は、請求項２のロケット発電エンジンにおいて、液体水素燃料のロケットエンジン（１４）での燃焼による噴流で作動するタービン（１５）を設け作動させ、前記タービン（１５）につながるタービン軸（１６）を前記液体水素燃料のロケットエンジン（１４）の燃焼室（１７）に穴（３３）を設けて前記穴（３３）に貫通させ、前記燃焼室（１７）外に前記タービン（１５）及び前記タービン軸（１６）が回転することによって発電する発電機（１８）を設け発電させ、前記発電機（１８）発電した電気で水の電気分解装置（１９）内の水を電気分解して得られた水素及び酸素を液化装置及び貯蔵タンク（２０）で液化し貯蔵しながら、前記液体水素燃料のロケットエンジン（１４）の燃料及び酸化剤として使用させることを特徴としたロケット発電エンジンの運転方法によって課題を解決するものである。【００２６】  また、第９の解決手段は、請求項３のロケット発電ファンエンジンにおいて、液体水素燃料のロケットエンジン（２１）での燃焼による噴流で作動する発電機用タービン（２２）を設け作動させ、さらにファン用タービン（２３）を設け作動させ、前記発電機用タービン（２２）につながる発電機用タービン軸（２４）及び前記ファン用タービン（２３）につながるファン用タービン軸（２５）を前記液体水素燃料のロケットエンジン（２１）の燃焼室（２６）に穴（３３）を設けて前記穴（３３）に貫通させ、前記燃焼室（２６）外に前記発電機用タービン（２２）及び前記発電機用タービン軸（２４）が回転することによって発電する発電機（２７）を設け発電させ、さらに前記ファン用タービン（２３）及び前記ファン用タービン軸（２５）の回転により作動するファン（２８）を設け作動させるとともに、前記発電機（２７）で発電した電気で水の電気分解装置（２９）内の水を電気分解して得られた水素及び酸素を液化装置及び貯蔵タンク（３０）で液化し貯蔵しながら、前記液体水素燃料のロケットエンジン（２１）の燃料及び酸化剤として使用させることを特徴としたロケット発電ファンエンジンの運転方法によって課題を解決するものである。【００２７】  上記課題を解決する手段による作用は次の通りである。すなわち、従来の技術であるジェットエンジンで使用していた石油系化石燃料の替わりに、液体水素燃料のロケットエンジン（１４）を使用することにより、地球上に大量に存在する水を原料として使用しており、水の分解と化合の繰り返しで二酸化炭素の排出が無く、大気汚染物質も驚異的に低減でき、原料である水が枯渇するという課題も解決される。【００２８】  また、第１の課題解決手段による作用は、液体水素燃料のロケットエンジン（１）での燃焼による噴流で作動するタービン（２）及び前記タービン（２）につながるタービン軸（３）を設け、前記液体水素燃料のロケットエンジン（１）の燃焼室（４）に穴（３３）を設け、前記穴（３３）に前記タービン軸（３）を貫通させ課題を解決するものであり、特許文献１の動力源装置及び特許文献２の発電装置のようにタービンの後方にタービン軸、発電機を配置するのではなく、前記液体水素燃料のロケットエンジン（１）の前記燃焼室（４）に穴あけ加工を施して穴（３３）を設け、前記穴（３３）に前記タービン軸（３）を貫通させ、前記液体水素燃料のロケットエンジン（１）の前記燃焼室（４）外の前方に前記タービン軸（３）を延長する構造を特徴としており、燃焼時の噴流の反作用で航空機を推進させつつ、回転する前記タービン軸（３）を使用して仕事をさせることが可能であるという効果を発揮する。【００２９】  また、第２の解決手段による作用は、液体水素燃料のロケットエンジン（１）での燃焼による噴流で作動するタービン（２）を設け、前記タービン（２）につながるタービン軸（３）を前記液体水素燃料のロケットエンジン（１）の燃焼室（４）に設けた穴（３３）に貫通させ、前記液体水素燃料のロケットエンジン（１）の前記燃焼室（４）外の前方に前記タービン（２）及び前記タービン軸（３）が回転することによって発電する発電機（５）を設け課題を解決するものであり、特許文献１の動力源装置及び特許文献２の発電装置のようにタービンの後方にタービン軸、発電機を配置するのではなく、前記液体水素燃料のロケットエンジン（１）の前記燃焼室（４）に穴あけ加工を施して穴（３３）を設け、前記穴（３３）に前記タービン軸（３）を貫通させ、前記液体水素燃料のロケットエンジン（１）の前記燃焼室（４）外の前方に前記タービン軸（３）を延長し前記タービン軸（３）の回転により発電する前記発電機（５）を配置する構造を特徴としており、燃焼時の噴流の反作用で航空機を推進させつつ、回転する前記タービン軸（３）で前記発電機（５）を作動させ発電させることが可能であり、従来の石油系化石燃料利用のターボジェットエンジンの代替として利用が可能であるという効果を発揮する。【００３０】  また、非特許文献１にあるターボジェットエンジンは、タービンにつながるタービン軸が燃焼室の前方に延長されているが空気圧縮機につながっており、もとより空気圧縮機が不要な液体水素燃料のロケットエンジンとは構造が明らかに異なっている。本発明はタービン軸（３）に空気圧縮機の替わりに発電機（５）を配置し発電をする構造的違いがある。【００３１】  また、第３の解決手段による作用は、液体水素燃料のロケットエンジン（６）での燃焼による噴流で作動する発電機用タービン（７）を設け、さらにファン用タービン（８）を設け、前記発電機用タービン（７）につながる発電機用タービン軸（９）及び前記ファン用タービン（８）につながるファン用タービン軸（１０）を前記液体水素燃料のロケットエンジン（６）の燃焼室（１１）に設けた穴（３３）に貫通させ、前記液体水素燃料のロケットエンジン（６）の前記燃焼室（１１）外に前記発電機用タービン（７）及び前記発電機用タービン軸（９）が回転することによって発電する発電機（１２）を設け、さらに前記ファン用タービン（８）につながる前記ファン用タービン軸（１０）が回転することにより作動するファン（１３）を設け課題を解決するものであり、特許文献１の動力源装置及び特許文献２の発電装置のようにタービンの後方にタービン軸、発電機を配置するのではなく、前記液体水素燃料のロケットエンジン（６）の前記燃焼室（１１）に穴あけ加工を施して穴（３３）を設け、前記穴（３３）に前記発電機用タービン軸（９）及び前記ファン用タービン軸（１０）を貫通させ前記液体水素燃料のロケットエンジン（６）の前記燃焼室（１１）外の前方に延長し、前記発電機用タービン（７）につながる前記発電機用タービン軸（９）の回転により発電する前記発電機（１２）を配置させ、さらに前記ファン用タービン（８）につながる前記ファン用タービン軸（１０）の回転により作動する前記ファン（１３）を前方に配置する構造を特徴としており、燃焼時の噴流の反作用で航空機を推進させつつ、回転する前記発電機用タービン軸（９）で前記発電機（１２）を作動させ発電でき、さらに前記ファン用タービン軸（１０）の回転により前記ファン（１３）の回転で空気を吸入しファンノズル（３２）から後方へ噴出させることができ従来の石油系化石燃料利用のターボファンジェットエンジンの代替として利用が可能であるという効果を発揮する。【００３２】  また、非特許文献１にあるターボファンジェットエンジンはタービンにつながるタービン軸が燃焼室の前方に延長されているが空気圧縮機及びファンにつながっており、もとより空気圧縮機が不要な液体水素燃料のロケットエンジンとは構造が明らかに異なっている。本発明は空気圧縮機の替わりに前記発電機（１２）を配置し発電し、さらに前方に前記ファン（１３）を配置することにより空気を吸入しファンノズルから後方へ噴出させる構造的違いがある。【００３３】  また、解決手段４による作用は、請求項２の前記ロケット発電エンジンにおいて、液体水素燃料のロケットエンジン（１４）での燃焼による噴流で作動するタービン（１５）を設け、前記タービン（１５）につながるタービン軸（１６）を前記液体水素燃料のロケットエンジン（１４）の燃焼室（１７）に設けた穴（３３）に貫通させ、前記液体水素燃料のロケットエンジン（１４）の前記燃焼室（１７）外に前記タービン（１５）及び前記タービン軸（１６）が回転することによって発電する発電機（１８）を設け、前記発電機（１８）で発電した電気で水の電気分解装置（１９）内の水を電気分解し、前記水の電気分解装置（１９）で得られた水素及び酸素を液化装置及び貯蔵タンク（２０）で液化し貯蔵しながら、前記液体水素燃料のロケットエンジン（１４）の燃料及び液体水素の酸化剤として使用し課題を解決するものであり、特許文献１の動力源装置及び特許文献２の発電装置のようにタービンの後方にタービン軸、発電機を配置するのではなく、前記燃焼室（１７）に穴あけ加工を施して前記穴（３３）を設け、前記穴（３３）に前記タービン軸（１６）を貫通させ前記液体水素燃料のロケットエンジン（１４）の前記燃焼室（１７）外の前方に前記タービン軸（１６）を延長し、前記タービン軸（１６）の回転により発電する前記発電機（１８）を配置し、前記発電機（１８）で発電した電気で前記水の電気分解装置（１９）内の水を電気分解し、前記水の電気分解装置（１９）で得られた水素及び酸素を液化装置及び貯蔵タンク（２０）で液化し貯蔵しながら、前記液体水素燃料のロケットエンジン（１４）の燃料及び液体水素の酸化剤として使用する構造を特徴としており、燃焼時の噴流の反作用で航空機を推進させつつ、回転する前記タービン軸（１６）で前記発電機（１８）を作動させ発電させ、発電した電気で水を電気分解して水素及び酸素を発生させ液化しながら前記液体水素燃料のロケットエンジン（１４）に供給することが可能であり、従来の石油系化石燃料利用のターボジェットエンジンの代替として利用が可能であるという効果を発揮する。【００３４】  また、非特許文献１にあるターボジェットエンジンはタービンにつながるタービン軸が燃焼室の前方に延長されているが空気圧縮機につながっており、もとより空気圧縮機が不要な前記液体水素燃料のロケットエンジン（１４）とは構造が明らかに異なっている。本発明は空気圧縮機の替わりに前記発電機（１８）を配置し発電し、前記発電機（１８）で発電した電気で前記水の電気分解装置（１９）内の水を電気分解し、前記水の電気分解装置（１９）で得られた水素及び酸素を前記液化装置及び貯蔵タンク（２０）で液化し貯蔵しながら前記液体水素燃料のロケットエンジン（１４）に供給する構造的違いがある。【００３��】  また、解決手段５による作用は、請求項３の前記ロケット発電ファンエンジンにおいて、前記液体水素燃料のロケットエンジン（２１）での燃焼による噴流で作動する前記発電機用タービン（２２）を設け、さらに前記ファン用タービン（２３）を設け、前記発電機用タービン（２２）につながる前記発電機用タービン軸（２４）及び前記ファン用タービン（２３）につながる前記ファン用タービン軸（２５）を前記液体水素燃料のロケットエンジン（２１）の前記燃焼室（２６）に設けた穴（３３）に貫通させ、前記液体水素燃料のロケットエンジン（２１）の前記燃焼室（２６）外の前方に前記発電機用タービン（２２）及び前記発電機用タービン軸（２４）が回転することによって発電する前記発電機（２７）を設け、さらに前記ファン用タービン（２３）及び前記ファン用タービン軸（２５）の回転により作動する前記ファン（２８）を設けるとともに、前記発電機（２７）で発電した電気で前記水の電気分解装置（２９）内の水を電気分解し、前記水の電気分解装置（２９）で得られた水素及び酸素を前記液化装置及び貯蔵タンク（３０）で液化し貯蔵しながら、前記液体水素燃料のロケットエンジン（２１）の燃料及び液体水素の酸化剤として使用し課題を解決するものであり、特許文献１の動力源装置及び特許文献２の発電装置のようにタービンの後方にタービン軸、発電機を配置するのではなく、前記燃焼室（２６）に穴あけ加工を施して前記穴（３３）を設け、前記穴（３３）に前記発電機用タービン軸（２４）及び前記ファン用タービン軸（２５）を貫通させ、前記液体水素燃料のロケットエンジン（２１）の前記燃焼室（２６）外の前方に前記発電機用タービン軸（２４）及び前記ファン用タービン軸（２５）を延長し、前記発電機用タービン（２２）につながる前記発電機用タービン軸（２４）の回転により発電する前記発電機（２７）を配置させ、さらに前記ファン用タービン（２３）につながる前記ファン用タービン軸（２５）の回転により作動する前記ファン（２８）を前方に配置する構造を特徴としており、燃焼時の噴流の反作用で航空機を推進させつつ、回転する前記発電機用タービン軸（２４）で前記発電機（２７）を作動させ発電でき、さらに前記ファン用タービン軸（２５）の回転により前記ファン（２８）の回転で空気を吸入し前記ファンノズル（３２）から後方へ噴出させることができ従来の石油系化石燃料利用のターボファンジェットエンジンの代替として利用が可能であるという効果を発揮する。【００３６】  また、非特許文献１にあるターボファンジェットエンジンはタービンにつながるタービン軸が燃焼室の前方に延長されているが空気圧縮機及びファンにつながっており、もとより空気圧縮機が不要な前記液体水素燃料のロケットエンジン（２１）とは構造が明らかに異なっている。本発明は空気圧縮機の替わりに前記発電機（２７）を配置し発電し、前記発電機（２７）で発電した電気で前記水の電気分解装置（２９）内の水を電気分解し、前記水の電気分解装置（２９）で得られた水素及び酸素を前記液化装置及び貯蔵タンク（３０）で液化し貯蔵しながら前記液体水素燃料のロケットエンジン（２１）に供給する構造的違いがある。【００３７】  また、解決手��６による作用は、請求項２の前記ロケット発電エンジンにおいて、前記液体水素燃料のロケットエンジン（１）での燃焼による噴流で作動する前記タービン（２）を設け作動させ、前記タービン（２）につながる前記タービン軸（３）を前記液体水素燃料のロケットエンジン（１）の前記燃焼室（４）に設けた前記穴（３３）に貫通させ、前記液体水素燃料のロケットエンジン（１）の前記燃焼室（４）外の前方に前記タービン（２）及び前記タービン軸（３）が回転することによって発電する前記発電機（５）を設け発電させることを特徴とするロケット発電エンジンの運転方法であり、特許文献１の動力源装置及び特許文献２の発電装置のようにタービンの後方にタービン軸、発電機を配置し運転するのではなく、特許文献１の動力源装置及び特許文献２の発電装置の運転方法とは明らかに異なっている。これにより、燃焼時の噴流の反作用で航空機を推進させつつ、回転する前記タービン軸（３）で前記発電機（５）を作動させ発電させることが可能であり、従来の石油系化石燃料利用のターボジェットエンジンの運転方法の代替として利用が可能であるという効果を発揮する。【００３８】  また、解決手段７による作用は、請求項３の前記ロケット発電ファンエンジンにおいて、前記液体水素燃料のロケットエンジン（６）での燃焼による噴流で作動する前記発電機用タービン（７）を設け作動させ、さらに前記ファン用タービン（８）を設け作動させ、前記発電機用タービン（７）につながる前記発電機用タービン軸（９）及び前記ファン用タービン（８）につながる前記ファン用タービン軸（１０）を前記液体水素燃料のロケットエンジン（６）の前記燃焼室（１１）に設けた前記穴（３３）に貫通させ、前記液体水素燃料のロケットエンジン（６）の前記燃焼室（１１）外の前方に前記発電機用タービン（７）及び前記発電機用タービン軸（９）が回転することによって発電する前記発電機（１２）を設け発電させ、さらに前記ファン用タービン（８）及び前記ファン用タービン軸（１０）の回転により作動する前記ファン（１３）を設け作動させることを特徴としたロケット発電ファンエンジンの運転方法であり、特許文献１の動力源装置及び特許文献２の発電装置のようにタービンの後方にタービン軸、発電機を配置し運転するのではなく、特許文献１の動力源装置及び特許文献２の発電装置の運転方法とは明らかに異なっている。これにより、燃焼時の噴流の反作用で航空機を推進させつつ、回転する前記発電機用タービン軸（９）で前記発電機（１２）を作動させ発電でき、さらに前記ファン用タービン軸（１０）の回転により前記ファン（１３）の回転で空気を吸入し前記ファンノズル（３２）から後方へ噴出させることができ従来の石油系化石燃料利用のターボファンジェットエンジンの運転方法の代替として利用が可能であるという効果を発揮する。【００３９】  また、解決手段８による作用は、請求項２のロケット発電エンジンにおいて、前記液体水素燃料のロケットエンジン（１４）での燃焼による噴流で作動する前記タービン（１５）を設け作動させ、前記タービン（１５）につながる前記タービン軸（１６）を前記液体水素燃料のロケットエンジン（１４）の前記燃焼室（１７）に設けた前���穴（３３）に貫通させ、前記液体水素燃料のロケットエンジン（１４）の前記燃焼室（１７）外の前方に前記タービン（１５）及び前記タービン軸（１６）が回転することによって発電する前記発電機（１８）を設け発電させ、前記発電機（１８）で発電した電気で前記水の電気分解装置（１９）内の水を電気分解し、前記水の電気分解装置（１９）で得られた水素及び酸素を前記液化装置及び貯蔵タンク（２０）で液化し貯蔵しながら前記液体水素燃料のロケットエンジン（１４）の燃料及び液体水素の酸化剤として使用させることを特徴としたロケット発電エンジンの運転方法であり、特許文献１の動力源装置及び特許文献２の発電装置のようにタービンの後方にタービン軸、発電機を配置し運転するのではなく、特許文献１の動力源装置及び特許文献２の発電装置の運転方法とは明らかに異なっている。これにより、燃焼時の噴流の反作用で航空機を推進させつつ、回転する前記タービン軸（１６）で前記発電機（１８）を作動させ発電させることが可能であり発電した電気で前記水の電気分解装置（１９）内の水を電気分解し、前記水の電気分解装置（１９）で得られた水素及び酸素を前記液化装置及び貯蔵タンク（２０）で液化し貯蔵しながら前記液体水素燃料のロケットエンジン（１４）の燃料及び酸化剤として利用させるこが可能であり、従来の石油系化石燃料利用のターボジェットエンジンの運転方法の代替として利用が可能であるという効果を発揮する。【００４０】  また、解決手段９による作用は、請求項３の前記ロケット発電ファンエンジンにおいて、前記液体水素燃料のロケットエンジン（２１）での燃焼による噴流で作動する前記発電機用タービン（２２）を設け作動させ、さらに前記ファン用タービン（２３）を設け作動させ、前記発電機用タービン（２２）につながる前記発電機用タービン軸（２４）及び前記ファン用タービン（２３）につながる前記ファン用タービン軸（２５）を前記液体水素燃料のロケットエンジン（２１）の前記燃焼室（２６）に設けた前記穴（３３）に貫通させ、前記液体水素燃料のロケットエンジン（２１）の前記燃焼室（２６）外の前方に前記発電機用タービン（２２）及び前記発電機用タービン軸（２４）が回転することによって発電する前記発電機（２７）を設け発電させ、さらに前記ファン用タービン（２３）及び前記ファン用タービン軸（２５）の回転により作動する前記ファン（２８）を設け作動させるとともに、前記発電機（２７）で発電した電気で前記水の電気分解装置（２９）内の水を電気分解し、前記水の電気分解装置（２９）で得られた水素及び酸素を前記液化装置及び貯蔵タンク（３０）で液化し貯蔵しながら、前記液体水素燃料のロケットエンジン（２１）の燃料及び液体水素の酸化剤として使用させることを特徴としたロケット発電ファンエンジンの運転方法であり、特許文献１の動力源装置及び特許文献２の発電装置のようにタービンの後方にタービン軸、発電機を配置し運転するのではなく、特許文献１の動力源装置及び特許文献２の発電装置の運転方法とは明らかに異なっている。これにより、燃焼時の噴流の反作用で航空機を推進させつつ、回転する前記発電機用タービン軸（２４）で前記発電機（２７）を作動させ発電させる��とが可能であり、発電した電気で前記水の電気分解装置（２９）内の水を電気分解し、前記水の電気分解装置（２９）で得られた水素及び酸素を前記液化装置及び貯蔵タンク（３０）で液化し貯蔵しながら前記液体水素燃料のロケットエンジン（２１）の燃料及び酸化剤として利用することが可能であり、さらに前記ファン用タービン軸（２３）の回転により、前記ファン（２８）の回転で空気を吸入し前記ファンノズル（３２）から後方へ噴出させることができ、従来の石油系化石燃料利用のターボファンジェットエンジンの運転方法の代替として利用が可能であるという効果を発揮する。
【発明の効果】
【００４１】  本発明の効果を述べるとまず本発明は液体水素燃料のロケットエンジンを使用しているので従来の技術である石油系化石燃料を使用したジェットエンジンとは違い硫黄酸化物や煤等の大気汚染物質の排出をゼロにでき窒素酸化物も驚異的に低減できる効果を発揮する。【００４２】  また、液体水素を燃料にしており、燃焼しても水に変化するだけであり、二酸化炭素の排出は一切無く、現在深刻な問題である地球温暖化の原因である二酸化炭素の排出をゼロにできる極めて優れた効果を発揮する。【００４３】  また、燃料である水素と酸化剤である酸素は、水を電気分解すれば得られるので前記液体水素燃料のロケットエンジン（１４）での液体水素の燃焼による噴流で前記タービン（１５）を作動させ、前記タービン（１５）につながる前記タービン軸（１６）を前記液体水素燃料のロケットエンジン（１４）の前記燃焼室（１７）に設けた前記穴（３３）に貫通させ、前記液体水素燃料のロケットエンジン（１４）の前記燃焼室（１７）外の前方に配置した前記発電機（１８）で発電し、前記発電機（１８）で発電した電気で水を電気分解すれば、液体水素及び液体酸素の燃焼による消費と同時進行で水素及び酸素を生産させることができ、発生させた水素及び酸素を再び液化して前記液体水素燃料のロケットエンジン（１４）の燃料及び前記燃料の酸化剤として使用させることができる優れた効果を発揮できる。【００４４】  これにより、地球上に大量に存在する水が原料となり、水の分解と化合の繰り返しで水という資源が枯渇することなく後世にまで永続的に使用できるという優れた効果を発揮するが、従来の技術である石油系化石燃料利用のジェットエンジンでは大気汚染物質や二酸化炭素を排出する上、遠くない将来におとずれるであろう石油資源の枯渇による燃料供給不能でジェットエンジン自体の運転が不可能になるという深刻な事態を回避できる極めて優れた効果を発揮できる。【００４５】  次に、特許文献１の動力源装置及び特許文献２の発電装置は、なるほどロケット打ち上げ以外の分野で使用されておりまた、大気汚染物質の排出低減や二酸化炭素の排出は無い。しかし、タービンにつながるタービン軸及び発電機がタービンの後方に配置されている。これでは船舶のエンジンや発電装置としては適切であるが、燃焼時の噴流の反作用によって航空機を推進させる航空機用エンジンとしては構造上、全く適切ではない。【００４６】  また、特許文献１の動力源装置及び特許文献２の発電装置は、液体水素燃料のロケットエンジンの燃焼時の排熱で蒸気を発生させ、その蒸気でタービンを作動させ発電する構造であるため、小型、軽量かつ省スペースを強く要求される航空機用エンジンとしては構造上、やはり全く適切ではない。【００４７】  これに対し本発明は、液体水素燃料のロケットエンジン（１４）での燃焼による噴流で作動する前記タービン（１５）を配置し、前記タービン（１５）につながる前記タービン軸（１６）を前記液体水素燃料のロケットエンジン（１４）の前記燃焼室（１７）に設けた前記穴（３３）に貫通させ、前記液体水素燃料のロケットエンジン（１４）の前記燃焼室（１７）外の前方に延長し、前記発電機（１８）を配置している。これにより燃焼時���噴流の一部で前記タービン（１５）を回転させ発電しながら、燃焼による噴流の反作用で航空機を推進させることができる優れた効果を発揮でき、特許文献１及び特許文献２ではなし得ない極めて優れた効果である。【００４８】  次に、非特許文献１のジェットエンジンは、燃焼による噴流で作動するタービンにつながるタービン軸が燃焼室を貫通しているように見えるが、タービン軸は空気圧縮機及びファンにつながっている。【００４９】  これに対し本発明は、タービンポンプ方式の前記液体水素燃料のロケットエンジン（１４）を使用しており、液体水素及び液体酸素は、前記液体水素燃料のロケットエンジン（１４）に装備されている燃料ポンプ（３５）及び酸化剤ポンプ（３６）で圧縮供給されるので、もとより非特許文献１のジェットエンジンのように空気圧縮機が不要となる優れた効果を発揮する。これにより空気圧縮機の替わりに前記発電機（１８）を配置でき、前記タービン（１５）及び前記タービン軸（１６）の回転により前記発電機（１８）で発電でき、発電した電気で前記水の電気分解装置（１９）で水を電気分解でき、前記水の電気分解装置（１９）で得られた水素及び酸素を液化して再度、前記液体水素燃料のロケットエンジン（１４）に供給させることができるという極めて優れた効果を発揮でき、非特許文献１のジェットエンジンでは到底実施不可能である。【００５０】  次に、請求項１の発明は、前記液体水素燃料のロケットエンジン（１）での燃焼による噴流で作動する前記タービン（２）を前記ノズル（３１）部分に設け、前記タービン（２）につながる前記タービン軸（３）を前記液体水素燃料のロケットエンジン（１）の前記燃焼室（４）に穴あけ加工を施して前記穴（３３）を設け、前記穴（３３）に前記タービン軸（３）を貫通させ前記液体水素燃料のロケットエンジン（１）の前記燃焼室（４）外の前方に前記タービン軸（３）を延長させ仕事をさせる構造を特徴としており、これにより燃焼時の噴流の反作用で航空機を推進させながら発電や各種回転機関、往復機関の基本エンジンとなりうる優れた効果をもたらす。【００５１】  請求項２の発明は、前記液体水素燃料のロケットエンジン（１）での燃焼による噴流で作動する前記タービン（２）を前記ノズル（３１）部分に設け、前記タービン（２）につながる前記タービン軸（３）を前記液体水素燃料のロケットエンジン（１）の前記燃焼室（４）に穴あけ加工を施して前記穴（３３）を設け前記穴（３３）に前記タービン軸（３）を貫通させ前記液体水素燃料のロケットエンジン（１）の前記燃焼室（４）外の前方に前記タービン軸（３）を延長させ前記発電機（５）で発電させる構造を特徴としており、特許文献１の動力源装置及び特許文献２の発電装置のようにタービンの後方にタービン軸、発電機を配置する構造ではないため、燃焼時の噴流の反作用で航空機を推進させつつ回転する前記タービン軸（３）で前記発電機（５）を作動させ発電させることが可能であり、従来の石油系化石燃料利用のターボジェットエンジンの代替となるクリーンな航空機用エンジンとして利用が可能であるという優れた効果を発揮する。【００５２】  請求項３の発明は、前記液体水素燃料のロケットエンジン（６）での燃焼による噴流で作動する前記発電機用タービン（７）及び前記ファン用タービン（８）を前記ノズル（３１）部分に設け、前記液体水素燃料のロケットエンジン（６）の前記燃焼室（１１）に穴あけ加工を施して前記穴（３３）を設け、前記穴（３３）に前記発電機用タービン軸（９）及び前記ファン用タービン軸（１０）を貫通させ前記液体水素燃料のロケットエンジン（６）の前記燃焼室（１１）外の前方に延長させ、前記発電機用タービン軸（９）の回転により前記発電機（１２）で発電し、さらに前記ファン用タービン軸（１０）の回転で前記ファン（１３）を作動させる構造を特徴としており、特許文献１の動力源装置及び特許文献２の発電装置のようにタービンの後方にタービン軸、発電機を配置する構造ではないため、燃焼時の噴流の反作用で航空機を推進させつつ、回転する前記発電機用タービン軸（９）で前記発電機（１２）を作動させ発電でき、さらに前記ファン用タービン軸（１０）の回転により前記ファン（１３）の回転で空気を吸入し前記ファンノズル（３２）から後方へ噴出させることができ従来の石油系化石燃料利用のターボファンジェットエンジンの代替となるクリーンな航空機用エンジンとして利用が可能であるという効果を発揮する。【００５３】  請求項４の発明は、請求項２のロケット発電エンジンにおいて、前記液体水素燃料のロケットエンジン（１４）での燃焼による噴流で作動する前記タービン（１５）を前記ノズル（３１）部分に設け、前記タービン（１５）につながる前記タービン軸（１６）を前記液体水素燃料のロケットエンジン（１４）の前記燃焼室（１７）に穴あけ加工を施して前記穴（３３）を設け、前記穴（３３）に前記タービン軸（１６）を貫通させ前記液体水素燃料のロケットエンジン（１４）の前記燃焼室（１７）外の前方に前記タービン軸（１６）を延長させ前記発電機（１８）で発電し、発電した電気で前記水の電気分解装置（１９）内の水を電気分解し、前記水の電気分解装置（１９）で得られた水素及び酸素を前記液化装置及び貯蔵タンク（２０）で液化し貯蔵しながら再度、前記液体水素燃料のロケットエンジン（１４）に供給する構造を特徴としており、特許文献１の動力源装置及び特許文献２の発電装置のようにタービンの後方にタービン軸、発電機を配置する構造ではないため、燃焼時の噴流の反作用で航空機を推進させつつ、回転する前記タービン軸（１６）で前記発電機（１８）を作動させ発電でき、前記発電機（１８）で発電した電気で水を電気分解でき、水の電気分解で得られた水素及び酸素を前記液化装置及び貯蔵タンク（２０）で液化し貯蔵でき、再度前記液体水素燃料のロケットエンジン（１４）に供給でき、従来の石油系化石燃料利用のターボジェットエンジンの代替となるクリーンな航空機用エンジンとして利用が可能であるという効果を発揮する。【００５４】  請求項５の発明は、請求項３のロケット発電ファンエンジンにおいて、前記液体水素燃料のロケットエンジン（２１）での燃焼による噴流で作動する前記発電機用タービン（２２）を設け、さらに前記ファン用タービン（２３）を設け、前記発電機用タービン（２２）につながる前記発電機用タービン軸（２４）及び前記ファン用タービン（２３）につながる前記��ァン用タービン軸（２５）を前記液体水素燃料のロケットエンジン（２１）の前記燃焼室（２６）に穴あけ加工を施して前記穴（３３）を設け、前記穴（３３）に前記発電機用タービン軸（２４）及び前記ファン用タービン軸（２５）を貫通させ、前記液体水素燃料のロケットエンジン（２１）の前記燃焼室（２６）外の前方に延長させ、前記発電機用タービン（２２）及び前記発電機用タービン軸（２４）が回転することによって発電する前記発電機（２７）を設け、さらに前記ファン用タービン（２３）につながる前記ファン用タービン軸（２５）が回転することにより作動する前記ファン（２８）を設けるとともに、前記発電機（２７）で発電した電気で前記水の電気分解装置（２９）内の水を電気分解し、前記水の電気分解装置（２９）で得られた水素及び酸素を前記液化装置及び貯蔵タンク（３０）で液化し貯蔵しながら再度、前記液体水素燃料のロケットエンジン（２１）の燃料及び燃料の酸化剤として使用する構造であり、特許文献１の動力源装置及び特許文献２の発電装置のようにタービンの後方にタービン軸、発電機を配置し運転するのではないため、燃焼時の噴流の反作用で航空機を推進させつつ、回転する前記発電機用タービン軸（２４）で前記発電機（２７）を作動させ発電でき、前記発電機（２７）で発電した電気で前記水の電気分解装置（２９）内の水を電気分解でき、前記水の電気分解装置（２９）で得られた水素及び酸素を前記液化装置及び貯蔵タンク（３０）で液化し貯蔵でき、再度前記液体水素燃料のロケットエンジン（２１）に供給でき、さらに前記ファン用タービン軸（２５）の回転により前記ファン（２８）の回転で空気を吸入し前記ファンノズル（３２）から後方へ噴出させることができ、従来の石油系化石燃料利用のターボファンジェットエンジンの代替となるクリーンな航空機用エンジンとして利用が可能であるという効果を発揮する。【００５５】  請求項６の発明は、前記液体水素燃料のロケットエンジン（１）での燃焼による噴流で作動する前記タービン（２）を前記ノズル（３１）部分に設け作動させ、前記タービン（２）につながる前記タービン軸（３）を前記液体水素燃料のロケットエンジン（１）の前記燃焼室（４）に穴あけ加工を施して前記穴（３３）を設け、前記穴（３３）に前記タービン軸（３）を貫通させ液体水素燃料のロケットエンジン（１）の前記燃焼室（４）外の前方に前記タービン軸（３）を延長させ前記発電機（５）で発電させる運転方法を特徴としており、特許文献１の動力源装置及び特許文献２の発電装置のようにタービンの後方にタービン軸、発電機を配置し運転するのではないため、燃焼時の噴流の反作用で航空機を推進させつつ、回転する前記タービン軸（３）で前記発電機（５）を作動させ発電させることが可能であり、前記発電機（５）で発電した電気で水を電気分解すれば、当該エンジンの運転と同時進行で水素及び酸素を生産できる運転方法であり、従来の石油系化石燃料利用のターボジェットエンジンの運転方法の代替となるクリーンな航空機用エンジンの運転方法を提供できる優れた効果を発揮する。【００５６】  請求項７の発明は、前記液体水素燃料のロケットエンジン（６）での燃焼による噴流で作動する前記発電���用タービン（７）及び前記ファン用タービン（８）を前記ノズル（３１）部分に設け作動させ、前記液体水素燃料のロケットエンジン（６）の前記燃焼室（１１）に穴あけ加工を施して前記穴（３３）を設け、前記穴（３３）に前記発電機用タービン軸（９）及び前記ファン用タービン軸（１０）を貫通させ、前記液体水素燃料のロケットエンジン（６）の前記燃焼室（１１）外の前方に延長させ、前記発電機用タービン軸（９）の回転により前記発電機（１２）で発電させ、さらに前記ファン用タービン軸（１０）の回転により前記ファン（１３）を作動させる運転方法を特徴としており、特許文献１の動力源装置及び特許文献２の発電装置のようにタービンの後方にタービン軸、発電機を配置し運転するのではないため、燃焼時の噴流の反作用で航空機を推進させつつ、回転する前記発電機用タービン軸（９）で前記発電機（１２）を作動させ発電させることができ、前記発電機（１２）で発電した電気で水を電気分解すれば、当該液体水素燃料のロケットエンジン（６）の運転と同時進行で水素及び酸素を生産できる運転方法であり、さらに前記ファン用タービン軸（１０）の回転による前記ファン（１３）の回転で空気を吸入し前記ファンノズル（３２）から後方へ噴出させることができる運転方法でもあり、従来の石油系化石燃料利用のターボファンジェットエンジンの運転方法の代替となるクリーンな航空機用エンジンの運転方法を提供できる優れた効果を発揮する。【００５７】  請求項８の発明は、前記液体水素燃料のロケットエンジン（１４）での燃焼による噴流で作動する前記タービン（１５）を設け作動させ、前記タービン（１５）につながる前記タービン軸（１６）を前記液体水素燃料のロケットエンジン（１４）の前記燃焼室（１７）に穴あけ加工を施して前記穴（３３）を設け、前記穴（３３）に貫通させ、前記液体水素燃料のロケットエンジン（１４）の前記燃焼室（１７）外の前方に前記タービン（１５）及び前記タービン軸（１６）が回転することによって発電する前記発電機（１８）を設け発電させ前記発電機（１８）で発電した電気で前記水の電気分解装置（１９）内の水を電気分解し、前記水の電気分解装置（１９）で得られた水素及び酸素を前記液化装置及び貯蔵タンク（２０）で液化し貯蔵しながら再度、前記液体水素燃料のロケットエンジン（１４）の燃料及び燃料の酸化剤として使用させることを特徴としたロケット発電エンジンの運転方法であり、特許文献１の動力源装置及び特許文献２の発電装置のようにタービンの後方にタービン軸、発電機を配置し運転するのではなく明らかに異なっている。これにより燃焼時の噴流の反作用で航空機を推進させつつ回転する前記タービン軸（１６）で前記発電機（１８）を作動させ発電させることができ発電した電気で前記水の電気分解装置（１９）内の水を電気分解でき得られた水素及び酸素を前記液化装置及び貯蔵タンク（２０）で液化し貯蔵しながら前記液体水素燃料のロケットエンジン（１４）の燃料及び酸化剤として利用可能である運転方法であり、来の石油系化石燃料利用のターボジェットエンジンの運転方法の代替となるクリーンな航空機用エンジンの運転方法を提供できる優れた効果を発揮する。【００５８】  請求項９の発明は、前記液体水素燃料のロケットエンジン（２１）での燃焼による噴流で作動する前記発電機用タービン（２２）を設け作動させ、さらに前記ファン用タービン（２３）を設け作動させ、前記発電機用タービン（２２）につながる前記発電機用タービン軸（２４）及び前記ファン用タービン（２３）につながる前記ファン用タービン軸（２５）を前記液体水素燃料のロケットエンジン（２１）の前記燃焼室（２６）に穴あけ加工を施して前記穴（３３）を設け、前記穴（３３）に貫通させ、前記液体水素燃料のロケットエンジン（２１）の前記燃焼室（２６）外の前方に延長させ、前記発電機用タービン（２２）及び前記発電機用タービン軸（２４）が回転することによって発電する前記発電機（２７）を設け発電させ、さらに前記ファン用タービン（２３）及び前記ファン用タービン軸（２５）の回転により作動する前記ファン（２８）を設け作動させるとともに、前記発電機（２７）で発電した電気で前記水の電気分解装置（２９）内の水を電気分解し、前記水の電気分解装置（２９）で得られた水素及び酸素を前記液化装置及び貯蔵タンク（３０）で液化し貯蔵しながら、前記液体水素燃料のロケットエンジン（２１）の燃料及び燃料の酸化剤として使用させることを特徴とした運転方法であり、特許文献１の動力源装置及び特許文献２の発電装置のようにタービンの後方にタービン軸、発電機を配置し運転するのではなく明らかに異なっている。これにより、燃焼時の噴流の反作用で航空機を推進させつつ、回転する前記発電機用タービン軸（２４）で前記発電機（２７）を作動させ発電させることが可能であり、発電した電気で前記水の電気分解装置（２９）内の水を電気分解でき得られた水素及び酸素を前記液化装置及び貯蔵タンク（３０）で液化し貯蔵しながら前記液体水素燃料のロケットエンジン（２１）の燃料及び酸化剤として利用可能である運転方法であり、さらに前記ファン用タービン軸（２５）の回転による前記ファン（２８）の回転で空気を吸入し前記ファンノズル（３２）から後方へ噴出させることができる運転方法でもあり、従来の石油系化石燃料利用のターボファンジェットエンジンの運転方法の代替となるクリーンな航空機用エンジンの運転方法を提供できる優れた効果を発揮する。【００５９】  また、本発明では従来の航空機が使用していた石油系化石燃料の替わりに水を使用するため、取扱いが非常に安全であり容易である。これにより従来では危険物取扱者の資格を所持している者しか石油系化石燃料の運搬や給油を行うことができなかったが、本発明では水の運搬や給水を誰でも行うことができるようになる効果を発揮する。【００６０】  また、万一、航空機事故が発生しても事故の程度が低い場合、水を搭載しているので航空機の炎上という悲劇が起きる可能性も極めて低減できる効果を発揮する。
【図面の簡単な説明】
【００６１】
【図１】本発明の実施形態を示す断面図
【図２】本発明の実施形態を示す断面図
【図３】本発明の実施形態を示す断面図
【図４】本発明の実施形態を示す断面図
【図５】本発明の実施形態を示す断面図
【発明を実施するための形態】
【００６２】  以下、本発明の実施形態を図１から図５に基づき説明する。
【００６３】  請求項１の本発明の断面図を図１に示す。
図１に向かって左側が前方で、右側が後方を意味する。
【００６４】  本発明では燃料に液体水素を使用し、酸化剤に液体酸素を使用し燃焼させ作動させる。
【００６５】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（１）に装備されている燃料ポンプ（３５）のタービン及び酸化剤ポンプ（３６）のタービンを駆動させる方式であり、駆動される前記燃料ポンプ（３５）で液体水素を燃焼室（４）に圧縮供給し、同時に駆動される前記酸化剤ポンプ（３６）で液体酸素を燃焼室（４）に圧縮供給させる方式のものである。
【００６６】  請求項１の発明では、前記液体水素燃料のロケットエンジン（１）の前記ノズル（３１）の中心・中央部分に液体水素の燃焼による高温・高圧の噴流で作動するように前記タービン（２）を正対させて配置する。前記タービン（２）につながる前記タービン軸（３）を前記液体水素燃料のロケットエンジン（１）の前記燃焼室（４）の前方の壁面の中心・中央に丸く穴あけ加工を施して前記穴（３３）を設け、前記穴（３３）に貫通させて前記液体水素燃料のロケットエンジン（１）の前記燃焼室（４）外の前方に延長させる。これにより各種回転機関や往復機関等の基本エンジンとして利用できる。
【００６７】  請求項２の本発明の断面図を図２に示す。
図２に向かって左側が前方で、右側が後方を意味する。
【００６８】  本発明では燃料に液体水素を使用し、酸化剤に液体酸素を使用し燃焼させ作動させる。
【００６９】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（１）に装備されている燃料ポンプ（３５）のタービン及び酸化剤ポンプ（３６）のタービンを駆動させる方式であり、駆動される前記燃料ポンプ（３５）で液体水素を燃焼室（４）に圧縮供給し、同時に駆動される前記酸化剤ポンプ（３６）で液体酸素を燃焼室（４）に圧縮供給させる方式のものである。
【００７０】  請求項２の発明では、前記液体水素燃料のロケットエンジン（１）の前記ノズル（３１）の中心・中央部分に液体水素の燃焼による高温・高圧の噴流で作動するように前記タービン（２）を正対させて配置する。前記タービン（２）につながる前記タービン軸（３）を前記液体水素燃料のロケットエンジン（１）の前記燃焼室（４）の前方の壁面の中心・中央に丸く穴あけ加工を施して前記穴（３３）を設け、前記穴（３３）に貫通させて前記液体水素燃料のロケットエンジン（１）の前記燃焼室（４）外の前方に延長させ、前記タービン（２）及び前記タービン軸（３）の回転で作動する前記発電機（５）を前記液体水素燃料のロケットエンジン（１）の前記燃焼室（４）外の前方に配置する。
【００７１】  請求項３の本発明の断面図を図３に示す。
図３に向かって左側が前方で、右側が後方を意味する。
【００７２】  本発明では燃料に液体水素を使用し、酸化剤に液体酸素を使用し燃焼させ作動させる。
【００７３】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（６）に装備されている燃料ポンプ（３５）のタービン及び酸化剤ポンプ（３６）のタービンを駆動させる方式であり、駆動される前記燃料ポンプ（３５）で液体水素を燃焼室（１１）に圧縮供給し、同時に駆動される前記酸化剤ポンプ（３６）で液体酸素を燃焼室（１１）に圧縮供給させる方式のものである。
【００７４】  請求項３の発明では、前記液体水素燃料のロケットエンジン（６）の前記ノズル（３１）の中心・中央部分に液体水素の燃焼による高温・高圧の噴流で作動するように前記発電機用タービン（７）及び前記ファン用タービン（８）を正対させて配置する。前記発電機用タービン（７）につながる前記発電機用タービン軸（９）及び前記ファン用タービン（８）につながる前記ファン用タービン軸（１０）を設ける。前記の発電機用タービン軸（９）及び前記ファン用タービン軸（１０）は２重構造にして前記発電機用タービン（７）につながる前記発電機用タービン軸（９）を外側に配置して、前記発電機用タービン軸（９）内側に前記ファン用タービン（８）につながる前記ファン用タービン軸（１０）を配置すればよい。前記液体水素燃料のロケットエンジン（６）の前記燃焼室（１１）の前方の壁面の中心・中央に丸く穴あけ加工を施して前記穴（３３）を設け、前記穴（３３）に前記発電機用タービン軸（９）及び前記ファン用タービン軸（１０）を貫通させて前記液体水素燃料のロケットエンジン（６）の前記燃焼室（１１）外の前方に延長させ、前記発電機用タービン（７）及び前記発電機用タービン軸（９）の回転で作動する前記発電機（１２）を前記液体水素燃料のロケットエンジン（６）の前記燃焼室（１１）外の前方に配置する。さらに、前記ファン用タービン（８）につながる前記ファン用タービン軸（１０）も同様に前記液体水素燃料のロケットエンジン（６）の前記燃焼室（１１）外の前方に延長し、前記発電機（１２）内を貫通させ前記発電機（１２）の前方に前記ファン用タービン（８）及び前記ファン用タービン軸（１０）の回転により作動する前記ファン（１３）を配置し前記ファン（１３）の外周を覆うように前記ファンノズル（３２）を配置して前記ファン（１３）の回転により吸引した空気を後方へ噴出させるようにすればよい。
【００７５】  請求項４の本発明の断面図を図４に示す。
図４に向かって左側が前方で、右側が後方を意味する。
【００７６】  本発明では燃料に液体水素を使用し、酸化剤に液体酸素を使用し燃焼させ作動させる。
【００７７】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（１４）に装備されている燃料ポンプ（３５）のタービン及び酸化剤ポンプ（３６）のタービンを駆動させる方式であり、駆動される前記燃料ポンプ（３５）で液体水素を燃焼室（１７）に圧縮供給し、同時に駆動される前記酸化剤ポンプ（３６）で液体酸素を燃焼室（１７）に圧縮供給させる方式のものである。
【００７８】  請求項４の発明では、前記液体水素燃料のロケットエンジン（１４）の前記ノズル（３１）の中心・中央部分に液体水素の燃焼による高温・高圧の噴流で作動するように前記タービン（１５）を正対させて配置する。前記タービン（１６）につながる前記タービン軸（１６）を前記液体水素燃料のロケットエンジン（１４）の前記燃焼室（１７）の前方の壁面の中心・中央に丸く穴あけ加工を施して前記穴（３３）を設け、前記穴（３３）に貫通させて前記液体水素燃料のロケットエンジン（１４）の前記燃焼室（１７）外の前方に延長させ、前記タービン（１５）及び前記タービン軸（１６）の回転で作動する前記発電機（１８）を前記液体水素燃料のロケットエンジン（１４）の前記燃焼室（１７）外の前方に配置する。また、前記発電機（１８）で発電した電気を送電用ケーブルで前記水の電気分解装置（１９）に接続させ、前記水の電気分解装置（１９）内の水を電気分解させて得られた水素及び酸素を管で前記液化装置及び貯蔵タンク（２０）に接続させ供給し、前記液化装置及び貯蔵タンク（２０）で液化させ貯蔵させながら、前記液体水素燃料のロケットエンジン（１４）に管で接続させ、燃料である液体水素及び液体水素の酸化剤である液体酸素を供給させるように配管すればよい。前記液化装置及び貯蔵タンク（２０）で冷却して液体水素及び液体酸素を生産し貯蔵させるには、前記発電機（１８）で発電した電気を分配して使用させるようにすればよい。前記水の電気分解装置（１９）への水の供給は前記貯水タンク（３４）より行うよう配管すればよい。
【００７９】  請求項５の本発明の断面図を図５に示す。
図５に向かって左側が前方で、右側が後方を意味する。
【００８０】  本発明では燃料に液体水素を使用し、酸化剤に液体酸素を使用し燃焼させ作動させる。
【００８１】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（２１）に装備されている燃料ポンプ（３５）のタービン及び酸化剤ポンプ（３６）のタービンを駆動させる方式であり、駆動される前記燃料ポンプ（３５）で液体水素を燃焼室（２１）に圧縮供給し、同時に駆動される前記酸化剤ポンプ（３６）で液体酸素を燃焼室（２１）に圧縮供給させる方式のものである。
【００８２】  請求項５の発明では、前記液体水素燃料のロケットエンジン（２１）の前記ノズル（３１）の中心・中央部分に液体水素の燃焼による高温・高圧の噴流で作動するように前記発電機用タービン（２２）及び前記ファン用タービン（２３）を正対させて配置する。前記発電機用タービン（２２）につながる前記発電機用タービン軸（２４）及び前記ファン用タービン（２３）につながる前記ファン用タービン軸（２５）を設ける。前記発電機用タービン軸（２４）及び前記ファン用タービン軸（２５）は２重構造にして前記発電機用タービン（２２）につながる前記発電機用タービン軸（２４）を外側に配置して、前記発電機用タービン軸（２４）の内側に前記ファン用タービン（２３）につながる前記ファン用タービン軸（２５）を配置すればよい。前記液体水素燃料のロケットエンジン（２１）の前記燃焼室（２６）の前方の壁面の中心・中央に丸く穴あけ加工を施して前記穴（３３）を設け、前記穴（３３）に前記発電機用タービン軸（２４）及び前記ファン用タービン軸（２５）を貫通させて、前記液体水素燃料のロケットエンジン（２１）の前記燃焼室（２６）外の前方に延長させ、前記発電機用タービン（２２）及び前記発電機用タービン軸（２４）の回転で作動する前記発電機（２７）を前記液体水素燃料のロケットエンジン（２１）の前記燃焼室（２６）外の前方に配置する。また、前記発電機（２７）で発電した電気を送電用ケーブルで前記水の電気分解装置（２９）に接続させ、前記水の電気分解装置（２９）内の水を電気分解させて得られた水素及び酸素を管で前記液化装置及び貯蔵タンク（３０）に接続させ供給し、前記液化装置及び貯蔵タンク（３０）で液化させ貯蔵させながら前記液体水素燃料のロケットエンジン（２１）に管で接続させ、燃料である液体水素及び液体水素の酸化剤である液体酸素を供給させるように配管すればよい。前記液化装置及び貯蔵タンク（３０）で冷却して液体水素及び液体酸素を生産し貯蔵させるには、前記発電機（２７）で発電した電気を分配して使用させるようにすればよい。前記水の電気分解装置（２９）への水の供給は前記貯水タンク（３４）より行うよう配管すればよい。さらに、前記ファン用タービン（２３）につながる前記ファン用タービン軸（２５）も同様に前記液体水素燃料のロケットエンジン（２１）の前記燃焼室（２６）外の前方に延長し、前記発電機（２７）内を貫通させ前記発電機（２７）の前方に前記ファン用タービン（２３）及び前記ファン用タービン軸（２５）の回転により作動する前記ファン（２８）を配置し、前記ファン（２８）の外周を覆うように前記ファンノズル（３２）を配置して前記ファン（２８）の回転により吸引した空気を後方へ噴出させるようにすればよい。
【００８３】  請求項６の本発明の断面図を図２に示す。
図２に向かって左側が前方で、右側が後方を意味する。
【００８４】  本発明では燃料に液体水素を使用し、酸化剤に液体酸素を使用し燃焼させ作動させる。
【００８５】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（１）に装備されている燃料ポンプ（３５）のタービン及び酸化剤ポンプ（３６）のタービンを駆動させる方式であり、駆動される前記燃料ポンプ（３５）で液体水素を燃焼室（４）に圧縮供給し、同時に駆動される前記酸化剤ポンプ（３６）で液体酸素を燃焼室（４）に圧縮供給させる方式のものである。
【００８６】  請求項６の発明では、前記液体水素燃料のロケットエンジン（１）の前記ノズル（３１）の中心・中央部分に液体水素の燃焼による高温・高圧の噴流で作動するように前記タービン（２）を正対させて配置し作動させ、前記タービン（２）につながる前記タービン軸（３）を前記液体水素燃料のロケットエンジン（１）の前記燃焼室（４）の前方の壁面の中心・中央に丸く穴あけ加工を施して前記穴（３３）を設け、前記穴（３３）に貫通させて前記液体水素燃料のロケットエンジン（１）の前記燃焼室（４）外の前方に延長させ、前記タービン（２）及び前記タービン軸（３）の回転で作動する前記発電機（５）を前記液体水素燃料のロケットエンジン（１）の前記燃焼室（４）外の前方に配置し発電させるように運転すればよい。
【００８７】  請求項７の本発明の断面図を図３に示す。
図３に向かって左側が前方で、右側が後方を意味する。
【００８８】  本発明では燃料に液体水素を使用し、酸化剤に液体酸素を使用し燃焼させ作動させる。
【００８９】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（６）に装備されている燃料ポンプ（３５）のタービン及び酸化剤ポンプ（３６）のタービンを駆動させる方式であり、駆動される前記燃料ポンプ（３５）で液体水素を燃焼室（１１）に圧縮供給し、同時に駆動される前記酸化剤ポンプ（３６）で液体酸素を燃焼室（１１）に圧縮供給させる方式のものである。
【００９０】  請求項７の発明では、前記液体水素燃料のロケットエンジン（６）の前記ノズル（３１）の中心・中央部分に液体水素の燃焼による高温・高圧の噴流で作動するように前記発電機用タービン（７）及び前記ファン用タービン（８）を正対させて配置し作動させ、前記発電機用タービン（７）につながる前記発電機用タービン軸（９）及び前記ファン用タービン（８）につながる前記ファン用タービン軸（１０）を設ける。前記発電機用タービン軸（９）及び前記ファン用タービン軸（１０）は２重構造にして前記発電機用タービン（７）につながる前記発電機用タービン軸（９）を外側に配置して、前記発電機用タービン軸（９）の内側に前記ファン用タービン（８）につながる前記ファン用タービン軸（１０）を配置すればよい。前記液体水素燃料のロケットエンジン（６）の前記燃焼室（１１）の前方の壁面の中心・中央に丸く穴あけ加工を施して前記穴（３３）を設け、前記穴（３３）に前記発電機用タービン軸（９）及び前記ファン用タービン軸（１０）を貫通させて、前記液体水素燃料のロケットエンジン（６）の前記燃焼室（１１）外の前方に延長させ、前記発電機用タービン（７）及び前記発電機用タービン軸（９）の回転で作動する前記発電機（１２）を前記液体水素燃料のロケットエンジン（６）の前記燃焼室（１１）外の前方に配置し発電させる。さらに、前記ファン用タービン（８）につながる前記ファン用タービン軸（１０）も同様に前記液体水素燃料のロケットエンジン（６）の前記燃焼室（１１）外の前方に延長し、前記発電機（１２）内を貫通させ前記発電機（１２）の前方に前記ファン用タービン（８）及び前記ファン用タービン軸（１０）の回転により作動する前記ファン（１３）を配置し作動させ前記ファン（１３）の外周を覆うように前記ファンノズル（３２）を配置して前記ファン（１３）の回転により吸引した空気を後方へ噴出させるように運転すればよい。
【００９１】  請求項８の本発明の断面図を図４に示す。
図４に向かって左側が前方で、右側が後方を意味する。
【００９２】  本発明では燃料に液体水素を使用し、酸化剤に液体酸素を使用し燃焼させ作動させる。
【００９３】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（１４）に装備されている燃料ポンプ（３５）のタービン及び酸化剤ポンプ（３６）のタービンを駆動させる方式であり、駆動される前記燃料ポンプ（３５）で液体水素を燃焼室（１７）に圧縮供給し、同時に駆動される前記酸化剤ポンプ（３６）で液体酸素を燃焼室（１７）に圧縮供給させる方式のものである。
【００９４】  請求項８の発明では、前記液体水素燃料のロケットエンジン（１４）の前記ノズル（３１）の中心・中央部分に液体水素の燃焼による高温・高圧の噴流で作動するように前記タービン（１５）を正対させて配置し作動させ、前記タービン（１５）につながる前記タービン軸（１６）を前記液体水素燃料のロケットエンジン（１４）の前記燃焼室（１７）の前方の壁面の中心・中央に丸く穴あけ加工を施して前記穴（３３）を設け、前記穴（３３）に貫通させて、前記液体水素燃料のロケットエンジン（１４）の前記燃焼室（１７）外の前方に延長させ前記タービン（１５）及び前記タービン軸（１６）の回転で作動する前記発電機（１８）を前記液体水素燃料のロケットエンジン（１４）の前記燃焼室（１７）外の前方に配置し発電させる。前記発電機（１８）で発電した電気を送電用ケーブルで前記水の電気分解装置（１９）に接続させ、前記水の電気分解装置（１９）内の水を電気分解させて得られた水素及び酸素を管で前記液化装置及び貯蔵タンク（２０）に接続させ供給し、前記液化装置及び貯蔵タンク（２０）で液化させ貯蔵させながら前記液体水素燃料のロケットエンジン（１４）に管で接続させ、燃料である液体水素及び液体水素の酸化剤である液体酸素を供給させるように配管し運転すればよい。前記水の電気分解装置（１９）への水の供給は前記貯水タンク（３４）より行うよう配管し運転すればよい。前記液化装置及び貯蔵タンク（２０）で冷却して液体水素及び液体酸素を生産し貯蔵させるには前記発電機（１８）で発電した電気を分配して使用させるように運転すればよい。
【００９５】  請求項９の本発明の断面図を図５に示す。
図５に向かって左側が前方で、右側が後方を意味する。
【００９６】  本発明では燃料に液体水素を使用し、酸化剤に液体酸素を使用し燃焼させ作動させる。
【００９７】  本発明ではタービンポンプ方式の液体水素燃料のロケットエンジンを使用する。タービンポンプ方式の液体水素燃料のロケットエンジンとは、燃料である液体水素を燃焼させて発生させた燃焼ガスの圧力を利用し前記液体水素燃料のロケットエンジン（２１）に装備されている燃料ポンプ（３５）のタービン及び酸化剤ポンプ（３６）のタービンを駆動させる方式であり、駆動される前記燃料ポンプ（３５）で液体水素を燃焼室（２６）に圧縮供給し、同時に駆動される前記酸化剤ポンプ（３６）で液体酸素を燃焼室（２６）に圧縮供給させる方式のものである。
【００９８】  請求項９の発明では、前記液体水素燃料のロケットエンジン（２１）の前記ノズル（３１）の中心・中央部分に液体水素の燃焼による高温・高圧の噴流で作動するように前記発電機用タービン（２２）及び前記ファン用タービン（２３）を正対させて配置し作動させ、前記発電機用タービン（２２）につながる前記発電機用タービン軸（２４）及び前記ファン用タービン（２３）につながる前記ファン用タービン軸（２５）を設ける。前記の発電機用タービン軸（２４）及び前記ファン用タービン軸（２５）は２重構造にして前記発電機用タービン（２２）につながる前記発電機用タービン軸（２４）を外側に配置して、前記発電機用タービン軸（２４）の内側に前記ファン用タービン（２３）につながる前記ファン用タービン軸（２５）を配置すればよい。前記液体水素燃料のロケットエンジン（２１）の前記燃焼室（２６）の前方の壁面の中心・中央に丸く穴あけ加工を施して前記穴（３３）を設け、前記穴（３３）に前記発電機用タービン軸（２４）及び前記ファン用タービン軸（２５）を貫通させて、前記液体水素燃料のロケットエンジン（２１）の前記燃焼室（２６）外の前方に延長させ、前記発電機用タービン（２２）及び前記発電機用タービン軸（２４）の回転で作動する前記発電機（２７）を前記液体水素燃料のロケットエンジン（２１）の前記燃焼室（２６）外の前方に配置し発電させる。前記発電機（２７）で発電した電気を送電用ケーブルで前記水の電気分解装置（２９）に接続させ、前記水の電気分解装置（２９）内の水を電気分解させて得られた水素及び酸素を管で前記液化装置及び貯蔵タンク（３０）に接続させ供給し、前記液化装置及び貯蔵タンク（３０）で液化させ貯蔵させながら前記液体水素燃料のロケットエンジン（２１）に管で接続させ、燃料である液体水素及び液体水素の酸化剤である液体酸素を供給させるように配管し運転すればよい。前記水の電気分解装置（２９）への水の供給は前記貯水タンク（３４）より行うよう配管し運転すればよい。前記液化装置及び貯蔵タンク（３０）で冷却して液体水素及び液体酸素を生産し貯蔵させるには前記発電機（２７）で発電した電気を分配して使用させるように運転すればよい。さらに前記ファン用タービン（２３）につながる前記ファン用タービン軸（２５）も同様に前記液体水素燃料のロケットエンジン（２１）の前記燃焼室（２６）外の前方に延長し、前記発電機（２７）内を貫通させ前記発電機（２７）の前方に前記ファン用タービン（２３）及び前記ファン用タービン軸（２５）の回転により作動する前記ファン（２８）を配置し作動させ、前記ファン（２８）の外周を覆うように前記ファンノズル（３２）を配置して前記ファン（２８）の回転により吸引した空気を後方へ噴出させるように運転すればよい。
【００９９】  前述の前記水の電気分解装置（１９）は、前記発電機（１８）で発電した電気で水を水素と酸素に分解する装置である。水の電気分解の方法は、前記発電機（１８）発電した電気を直流電流に変換し陰極と陽極とが入った前記水の電気分解装置（１９）で原料の水を電気分解し水素及び酸素を発生させる装置である。
【０１００】  前述の前記水の電気分解装置（２９）は、前記発電機（２７）で発電した電気で水を水素と酸素に分解する装置である。水の電気分解の方法は、前記発電機（２７）で発電した電気を直流電流に変換し陰極と陽極とが入った前記水の電気分解装置（２９）で原料の水を電気分解し水素及び酸素を発生させる装置である。
【０１０１】  次に前述の液化装置及び貯蔵タンク（２０）は、前記水の電気分解装置（１９）で発生させた水素を零下２５２．６℃以下に冷却して液体水素を生産し、同じく前記水の電気分解装置（１９）で発生させた酸素を零下１８３℃以下に冷却して液体酸素を生産する装置である。前記水の電気分解装置（１９）で発生させた水素及び酸素を液化するエネルギーは、前記発電機（１８）で発電した電気を分配するように配線して使用し冷却すればよい。
【０１０２】  次に前述の液化装置及び貯蔵タンク（３０）は、前記水の電気分解装置（２９）で発生させた水素を零下２５２．６℃以下に冷却して液体水素を生産し、同じく前記水の電気分解装置（２９）で発生させた酸素を零下１８３℃以下に冷却して液体酸素を生産する装置である。前記水の電気分解装置（２９）で発生させた水素及び酸素を液化するエネルギーは、前記発電機（２７）で発電した電気を分配するように配線して使用し冷却すればよい。
【０１０３】  液化装置及び貯蔵タンク（２０）の液化装置で冷却して生産した液体水素及び液体酸素は一旦、冷却したまま従来の金属製の貯蔵タンクに充填し貯蔵しながら順次、前記液体水素燃料のロケットエンジン（１４）に供給させるように配管し運転すればよい。
【０１０４】  液化装置及び貯蔵タンク（３０）の液化装置で冷却して生産した液体水素及び液体酸素は一旦、冷却したまま従来の金属製の貯蔵タンクに充填し貯蔵しながら順次、前記液体水素燃料のロケットエンジン（２１）に供給させるように配管し運転すればよい。
【０１０５】  ファン（１３）は、従来のターボファンジェットエンジンに使用されている中心から放射状に配置された複数枚のファンブレードからなるファンを使用すればよい。
【０１０６】  ファン（２８）は、従来のターボファンジェットエンジンに使用されている中心から放射状に配置された複数枚のファンブレードからなるファンを使用すればよい。
【０１０７】  ファンノズル（３２）は、従来のターボファンジェットエンジンに使用されているファンノズルをファン（１３）の外周を覆うように配置すればよい。
【０１０８】  ファンノズル（３２）は、従来のターボファンジェットエンジンに使用されているファンノズルをファン（２８）の外周を覆うように配置すればよい。
【０１０９】  タービン（２）及びタービン軸（３）は従来のターボジェットエンジンで使用されているタービン及びタービン軸を使用すればよい。
【０１１０】  発電機用タービン（７）及び発電機用タービン軸（９）、ファン用タービン（８）及びファン用タービン軸（１０）は、従来のターボファンジェットエンジンで使用されている発電機用タービン及び発電機用タービン軸、ファン用タービン及びファン用タービン軸を使用すればよい。
【０１１１】  タービン（１５）及びタービン軸（１６）は従来のターボジェットエンジンで使用されているタービン及びタービン軸を使用すればよい。
【０１１２】  発電機用タービン（２２）及び発電機用タービン軸（２４）、ファン用タービン（２３）及びファン用タービン軸（２５）は、従来のターボファンジェットエンジンで使用されている発電機用タービン及び発電機用タービン軸、ファン用タービン及びファン用タービン軸を使用すればよい。
【０１１３】  発電機（５）は、従来の発電装置で使用されている交流発電機を使用すればよい。
【０１１４】  発電機（１２）は、従来の発電装置で使用されている交流発電機を使用すればよい。
【０１１５】  発電機（１８）は、従来の発電装置で使用されている交流発電機を使用すればよい。
【０１１６】  発電機（２７）は、従来の発電装置で使用されている交流発電機を使用すればよい。
【０１１７】  送電用ケーブルは、従来の送電に使用されているケーブルを使用すればよい。
【０１１８】  液体水素及び液体酸素を移送する管は、従来の移送に使用されている金属製の管を使用すればよい。
【０１１９】  ノズル（３１）は、従来のロケットエンジンに使用されているノズルを使用すればよい。
【０１２０】  貯水タンク（３４）は、従来の貯水用に使用されている金属製の貯水タンクを使用すればよい。
【０１２１】  燃料ポンプ（３５）は、従来の液体水素燃料のロケットエンジンに使用されている燃料ポンプを使用すればよく、液体水素の燃焼による燃焼ガスの圧力で燃料ポンプ（３５）に接続されているタービンを駆動させ、燃料である液体水素を燃焼室に圧縮供給させるものである。
【０１２２】  酸化剤ポンプ（３６）は、従来の液体水素燃料のロケットエンジンに使用されている酸化剤ポンプを使用すればよく、液体水素の燃焼による燃焼ガスの圧力で酸化剤ポンプ（３６）に接続されているタービンを駆動させ、酸化剤である液体酸素を燃焼室に圧縮供給させるものである。
【０１２３】  燃焼室（４）は、従来の液体水素燃料のロケットエンジンに使用されている燃焼室を使用すればよい。
【０１２４】  燃焼室（１１）は、従来の液体水素燃料のロケットエンジンに使用されている燃焼室を使用すればよい。
【０１２５】  燃焼室（１７）は、従来の液体水素燃料のロケットエンジンに使用されている燃焼室を使用すればよい。
【０１２６】  燃焼室（２６）は、従来の液体水素燃料のロケットエンジンに使用されている燃焼室を使用すればよい。
【符号の説明】
【０１２７】１  液体水素燃料のロケットエンジン
２  タービン
３  タービン軸
４  燃焼室
５  発電機
６  液体水素燃料のロケットエンジン
７  発電機用タービン
８  ファン用タービン
９  発電機用タービン軸
１０  ファン用タービン軸
１１  燃焼室
１２  発電機
１３  ファン
１４  液体水素燃料のロケットエンジン
１５  タービン
１６  タービン軸
１７  燃焼室
１８  発電機
１９  水の電気分解装置
２０  液化装置及び貯蔵タンク
２１  液体水素燃料のロケットエンジン
２２  発電機用タービン
２３  ファン用タービン
２４  発電機用タービン軸
２５  ファン用タービン軸
２６  燃焼室
２７  発電機
２８  ファン
２９  水の電気分解装置
３０  液化装置及び貯蔵タンク
３１  ノズル
３２  ファンノズル
３３  穴
３４  貯水タンク
３５  燃料ポンプ
３６  酸化剤ポンプ
【図１】
2011153616.tif 000003
【図２】
2011153616.tif 000004
【図３】
2011153616.tif 000005
【図４】
2011153616.tif 000006
【図５】
2011153616.tif 000007